(57)【要約】【課題】より履きやすい靴下を提供する。【解決手段】レッグフォーマー部２と、レッグフォーマー部２に縫合されるとともに、足の一部を覆いながら、少なくとも足指をはみ出させるための第１開口部３ａが編成された伸びしろ部３と、第１開口部３ａからはみ出した足指を挿入するための第２開口部４ａが編成され、足及び足指を覆うフット部４とを備え、フット部４における第２開口部４ａの一部が、レッグフォーマー部２と伸びしろ部３との縫合箇所付近に縫合されている。【選択図】図１
2016216841.tif 000002
【特許請求の範囲】
【請求項１】
少なくとも脚を覆うレッグフォーマー部と、
前記レッグフォーマー部に縫合されるとともに、足の一部を覆いながら、少なくとも足指をはみ出させるための第１開口部が編成された伸びしろ部と、
前記第１開口部からはみ出した足指を挿入するための第２開口部が編成され、足及び足指を覆うフット部とを備え、
前記フット部における第２開口部の一部が、前記レッグフォーマー部又は前記伸びしろ部に縫合されていることを特徴とする靴下。
【請求項２】
前記フット部における第２開口部の一部が、前記レッグフォーマー部又は前記伸びしろ部の足裏側に縫合されていることを特徴とする請求項１に記載の靴下。
【請求項３】
前記レッグフォーマー部には、足の踵を覆う踵部を更に備え、
前記フット部における第２開口部の一部が、前記踵部よりも足指側であって、前記レッグフォーマー部又は前記伸びしろ部に縫合されていることを特徴とする請求項１または請求項２に記載の靴下。
【請求項４】
前記フット部における第２開口部の一部が、前記レッグフォーマー部と前記伸びしろとの縫合箇所付近に縫合されていることを特徴とする請求項１乃至請求項３のいずれかに記載の靴下。
【請求項５】
前記フット部には、５本の足指のそれぞれを覆う指先部が編成されていることを特徴とする請求項１乃至請求項４のいずれかに記載の靴下。
【発明の詳細な説明】
【技術分野】
【０００１】
本発明は、開口部を編成した靴下に関する。
【背景技術】
【０００２】
従来から、通気性を高めるために足の甲側に開口部を編成した靴下が知られている（特許文献１参照）。このような足の甲側に開口部を編成した靴下によれば、通気性が高まり、足指が蒸れなくなる。
【先行技術文献】
【特許文献】
【０００３】
【特許文献１】特開２００１−１１７０２号公報
【発明の概要】
【発明が解決しようとする課題】
【０００４】
ここで、健常者であれば、靴下をなんら問題なく履けるも一方、障害者や要介護者等からみれば、レッグフォーマーが長い靴下（いわゆるハイソックス）は、非常に履きづらいものであった。また、介護者が障害者や要介護者等に靴下を履かせるにあたっても、非常に手間と時間がかかっていた。
このため、より履きやすい靴下の開発が求められていた。
【０００５】
本発明の目的は、より履きやすい靴下を提供することにある。
【課題を解決するための手段】
【０００６】
上記課題を解決するために、本発明に係る靴下は、少なくとも脚を覆うレッグフォーマー部と、前記レッグフォーマー部に縫合されるとともに、足の一部を覆いながら、少なくとも足指をはみ出させるための第１開口部が編成された伸びしろ部と、前記第１開口部からはみ出した足指を挿入するための第２開口部が編成され、足及び足指を覆うフット部とを備え、前記フット部における第２開口部の一部が、前記レッグフォーマー部又は前記伸びしろ部に縫合されていることを特徴とする。
【０００７】
また、前記フット部における第２開口部の一部が、前記レッグフォーマー部又は前記伸びしろ部の足裏側に縫合されていることが望ましい。
さらには、前記レッグフォーマーには、足の踵を覆う踵部を更に備え、前記フット部における第２開口部の一部が、前記踵部よりも足指側であって、前記レッグフォーマー部又は前記伸びしろ部に縫合されていることが望ましい。
さらには、前記フット部における第２開口部の一部が、前記レッグフォーマー部と前記伸びしろとの縫合箇所付近に縫合されていることが望ましい。
前記フット部には、５本の足指のそれぞれを覆う指先部が編成されていることが望ましい。
【０００８】
なお、「脚」とは、足首から上を意味し、足首、脛（スネ）を含み、「足」とは、足首より下を意味し、踵（カカト）、甲、足裏、足指を含むものである。
【発明の効果】
【０００９】
本発明によれば、レッグフォーマー部に脚を挿入して第１開口部から足をはみ出させ、その後に、はみ出した足を第２開口部を介して足及び足指を覆うフット部に挿入することにより、容易に靴下を履く・履かせることができる。
【図面の簡単な説明】
【００１０】
【図１】本発明の靴下の一例を示す図である。
【図２】本発明の靴下の履き方の一例を示す図である。
【図３】本発明の靴下におけるフット部を伸びしろ部に収納した状態の一例を示す図である。
【発明を実施するための形態】
【００１１】
以下、本発明に係る実施形態について説明する。
【００１２】
まず、図１を用いて、本発明の靴下１の概要について説明する。図１（ａ）は、第１の方向から見た靴下１の斜視図であり、図１（ｂ）は、第１の方向とは異なる第２の方向から見た靴下１の斜視図である。
【００１３】
図１に示すように、靴下１は、脚を覆うレッグフォーマー部２と、レッグフォーマー部２に縫合されるとともに足の甲及び足裏を覆う伸びしろ部３と、足の甲、足裏、及び足指を覆うフット部４とを備えている。
【００１４】
また、靴下１は、綿アクリル混、ポリエステル綿混、綿麻混、アクリル毛混、毛ナイロン混、獣毛混、絹、絹紡糸、絹紬糸等の素材で構成されており、レッグフォーマー部２と伸びしろ部３とフット部４とは、同じ素材で構成されている。
なお、レッグフォーマー部２と伸びしろ部３とフット部４とを異なる素材で構成してもよい。
【００１５】
レッグフォーマー部２には、足を挿入するためのレッグフォーマー開口部２ａと、踵を覆い、膨らみを有する踵部２ｂとが編成されている。また、本実施形態においては、一例として、レッグフォーマー部２は約３０ｃｍの長さで構成されている。
【００１６】
また、伸びしろ部３には、レッグフォーマー開口部２ａから挿入された足の足指をはみ出させるための第１開口部３ａが編成されている。また、本実施形態においては、一例として、伸びしろ部３は約１０ｃｍの長さで構成されている。
【００１７】
フット部４には、第１開口部３ａからはみ出した足指を挿入するための第２開口部４ａが編成されている。また、本実施形態においては、一例として、フット部４は約１９ｃｍの長さで構成されている。
【００１８】
また、レッグフォーマー開口部２ａ、第１開口部３ａ、第２開口部４ａについては、口ゴムが編成されており、伸縮性を有している。
【００１９】
さらに、フット部４には、５本の足指のそれぞれを覆う指先部５ａ〜５ｅが編成されている。
なお、本実施形態においては、フット部４に５本の指先部５ａ〜５ｅを編成せずに、フット部４を構成してもよい。
【００２０】
そして、フット部４における第２開口部４ａの一部が、レッグフォーマー部２における踵部２ｂよりも足指側であって、レッグフォーマー部２と伸びしろ部３との縫合箇所における足裏側に縫合されている。
【００２１】
なお、本実施形態においては、フット部４における第２開口部４ａの一部を、レッグフォーマー部２と伸びしろ部３との縫合箇所に縫合させて構成したが、レッグフォーマー部２と伸びしろ部３との縫合箇所付近であれば、レッグフォーマー部２または伸びしろ部３にのみ縫合させて構成してもよい。
【００２２】
次に、図２を用いて、本発明の靴下１の履き方について説明する。図２は、本発明の靴下の履き方の一例を示す図である。
【００２３】
最初に、図２（ａ）に示すように、レッグフォーマー開口部２ａに足を挿入して、第１開口部３ａから足を出し、レッグフォーマー部２及び伸びしろ部３に対して、脚を貫通させる。
【００２４】
その後、図２（ｂ）に示すように、レッグフォーマー部２及び伸びしろ部３を足首側に引き伸ばして、足の踵にレッグフォーマー部２の踵部２ｂを装着させる。このとき、第１開口部３ａからは、少なくとも足指がはみ出されている。
【００２５】
最後に、足の踵を床等につけたまま、足首を上方に向け（踵を除く足裏を上げて）、足指をフット部４の第２開口部４ａに挿入して、指先部５ａ〜５ｅにそれぞれの足指を挿入する。これにより、図２（ｃ）に示すように、靴下１を履く・履かせることができる。
【００２６】
このように、障害者や要介護者等が靴下１を履く場合であっても、介護者が障害者や要介護者等に靴下１を履かせる場合であっても、レッグフォーマー開口部２ａと第１開口部３ａとに足を貫通させて、第１開口部３ａからはみ出された足指の第２開口部４ａに足を挿入することにより、容易に靴下１を履くことができる。
特に、いわゆる５本指ソックスに関しては、障害者や要介護者等が非常に履きにくいものであったが、本発明の靴下１を用いた５本指ソックスであれば、障害者や要介護者等であっても容易に履く・履かせることができる。
【００２７】
さらには、本発明の靴下１によれば、フット部４における第２開口部４ａの一部が踵部２ｂよりも足指側であって足裏側に縫合されていることから、踵をつけたまま足首を上方に向けることにより、フット部４を履かせることが可能になるので、靴下１を安定して履くことができる。
【００２８】
さらには、本発明の靴下１によれば、伸びしろ部３とフット部４とで重なり合って足を覆っていることから、靴下１の保温性を高めることができる。
【００２９】
さらには、本発明の靴下１によれば、フット部４における第２開口部４ａの一部が、足裏側に縫合されていることから、人が歩いているときに、伸びしろ部３とフット部４との重なりがめくり上がることなく、安定して歩くことができる。
【００３０】
そして、本発明の靴下１は、レッグフォーマーとしても用いることもできる。
【００３１】
図３を用いて、本発明の靴下１をレッグフォーマーとして用いることについての説明を行う。図３は、靴下１におけるフット部４を伸びしろ部３に収納した状態の一例を示す図である。
【００３２】
図３に示すように、伸びしろ部３をレッグフォーマー部２に折り返すと、レッグフォーマー部２と伸びしろ部３との縫合箇所にあるフット部４が、レッグフォーマー部２と伸びしろ部３との間に挟み込まれる。
このように、伸びしろ部３によって、フット部４をふくらはぎ側に保持させることができる。
【００３３】
また、本発明の靴下１を全部履いた後であっても、伸びしろ部３とフット部４と脱ぐことにより、靴下１を全部脱ぐことなく、図３に示すように、裸の足のみを露出させることができる。
これにより、足の病気に対する薬の貼付、爪切り等の作業（又は介護）も容易に行うことができる。
【００３４】
なお、本実施形態においては、レッグフォーマー部２に踵を覆う踵部２ｂを編成したが、レッグフォーマー部２に踵を覆う踵部２ｂを編成しなくてもよい。
さらには、踵を覆う踵部２ｂをレッグフォーマー部２に編成せずに、伸びしろ部３に踵部２ｂを編成してもよい。
【００３５】
また、本実施形態においては、フット部４における第２開口部４ａの一部を、レッグフォーマー部２における踵部２ｂよりも足指側であって、レッグフォーマー部２と伸びしろ部３との縫合箇所の「足裏側」に縫合させて構成した。
しかしながら、フット部４における第２開口部４ａの一部を、レッグフォーマー部２と伸びしろ部３との縫合箇所の「足の甲側」に縫合させて構成してもよい。
【符号の説明】
【００３６】
１    靴下
２    レッグフォーマー部
２ａ  レッグフォーマー開口部
２ｂ  踵部
３    伸びしろ部
３ａ  第１開口部
４    フット部
４ａ  第２開口部
５ａ〜５ｅ  指先部
【図１】
2016216841.tif 000003
【図２】
2016216841.tif 000004
【図３】
2016216841.tif 000005